(57)【要約】【課題】携帯端末内のデータを統合的に削除可能なデータ処理方法を提供する。【解決手段】アプリケーション機能の違いにより種類の異なる複数のデータが記憶部に格納された携帯端末のデータ処理方法であって、上記複数のデータのデータ名を登録したリストを記憶部に格納し、データ削除の指示が入力されると、リストに登録されたデータ名の一覧を出力部に表示させ、一覧からデータ名が選択されると、選択されたデータ名で特定されるデータを記憶部から削除するものである。【選択図】図１
2008109352.tif 000002
【特許請求の範囲】
【請求項１】
アプリケーション機能の違いにより種類の異なる複数のデータが記憶部に格納された携帯端末のデータ処理方法であって、
前記複数のデータのデータ名を登録したリストを前記記憶部に格納し、
データ削除の指示が入力されると、前記リストに登録された前記データ名の一覧を出力部に表示させ、
前記一覧からデータ名が選択されると、選択されたデータ名で特定されるデータを前記記憶部から削除する、データ処理方法。
【請求項２】
前記記憶部に予め暗証番号を格納し、
前記暗証番号の入力が必要であるか否かの情報を前記データ名とともに前記リストに登録し、
前記データ削除の指示が入力されると、前記暗証番号の入力を要求する旨を前記出力部に表示させ、
入力される番号が前記暗証番号に一致する場合、前記リストに登録された前記データ名の全てを前記出力部に表示させ、番号が入力されないか、入力される番号が前記暗証番号に一致しない場合、前記リストに登録された前記データ名のうち前記暗証番号の入力が必要でない旨の情報が添付されたデータ名のみを前記出力部に表示させる、請求項１記載のデータ処理方法。
【請求項３】
前記記憶部は削除不能なデータを予め含み、
前記リストは前記削除不能なデータのデータ名を含まない請求項１または２記載のデータ処理方法。
【請求項４】
アプリケーション機能の違いにより種類の異なる複数のデータと該複数のデータのデータ名を登録したリストとが格納された記憶部と、
前記データ名を表示するための出力部と、
データ削除の指示が入力されると、前記リストに登録された前記データ名の一覧を前記出力部に表示させ、前記一覧からデータ名が選択されると、選択されたデータ名で特定されるデータを前記記憶部から削除する処理部と、
を有する携帯端末。
【請求項５】
前記記憶部に予め暗証番号が格納され、
前記暗証番号の入力が必要であるか否かの情報が前記データ名とともに前記リストに登録され、
前記処理部は、
前記データ削除の指示が入力されると、前記暗証番号の入力を要求する旨を前記出力部に表示させ、入力される番号が前記暗証番号に一致する場合、前記リストに登録された前記データ名の全てを前記出力部に表示させ、番号が入力されないか、入力される番号が前記暗証番号に一致しない場合、前記リストに登録された前記データ名のうち前記暗証番号の入力が必要でない旨の情報が添付されたデータ名のみを前記出力部に表示させる、請求項４記載の携帯端末。
【請求項６】
前記記憶部に削除不能なデータが予め含まれ、
前記リストには前記削除不能なデータのデータ名が含まれていない請求項４または５記載の携帯端末。
【発明の詳細な説明】
【技術分野】
【０００１】
本発明は、複数種のデータを削除するためのデータ処理方法および携帯端末に関する。
【背景技術】
【０００２】
現在、携帯端末には、電子メール、スケジュール管理、カメラ撮影、音声ダウンロードなどの様々なアプリケーション機能が付加されている。その結果、携帯端末では機能毎にデータを管理し、ユーザは修正や削除など変更したいデータがあると、データ種別に管理メニューを操作することになる。
【０００３】
携帯端末の従来の操作画面を説明する。図４は操作画面の例を示す図面である。
【０００４】
図４に示すように、メインメニュー画面から機能毎に操作画面が階層化されている。＜電話帳＞は電話番号の検索、新規登録および修正等を行うための操作画面である。＜メール＞は電子メールの作成、受信メールおよび送信メールの閲覧を行うための操作画面である。＜スケジュール＞はスケジュールの入力および確認を行うための操作画面である。＜ピクチャ＞は登録された動画および静止画のデータを画面に表示させるための操作画面である。＜メロディ＞は登録したメロディを再生するための操作画面である。
【０００５】
ユーザが携帯端末を操作して＜メニュー＞画面からいずれかの項目を選択すると、選択された項目に対応する機能の操作画面が表示される。なお、＜メニュー＞画面から、ユーザが「撮影」を選択すると携帯端末は撮影機能を実行し、ユーザが「ネット接続」を選択すると携帯端末はインターネットなどのネットワークに通信接続する。また、ユーザが「設定」を選択すると、携帯端末は各種機能の設定のための画面を表示する。
【０００６】
電子メール機能を動作させたい場合、ユーザが＜電子メール＞を選択すると、＜新規メール作成＞、＜受信メール＞、および＜送信済メール＞の３種類の選択肢が画面に表示される。＜新規メール＞はメール作成画面を開くための選択肢であり、＜受信メール＞は受信したメールの内容を表示させるための選択肢であり、＜送信済メール＞は既に送信したメールの内容を表示させるための選択肢である。
【０００７】
続いて、ユーザが３つの選択肢から＜受信メール＞を選択すると、保存されている受信メールのデータ名を示す一覧表が画面に表示される。図４に示す「受信メール１」、「受信メール２」がデータ名に相当する。ユーザは受信メールの一覧画面を見ながら携帯端末を操作して、不要な受信メールを削除することが可能である。＜送信済メール＞を選択した場合には、送信済メールを削除することが可能となる。＜受信メール＞および＜送信済メール＞の操作画面が管理メニュー画面に相当する。
【０００８】
携帯端末に格納されたデータを管理する方法として、電話の着信履歴および発信履歴を効率よく削除するための方法が開示されている（特許文献１参照）。この方法を各機能に適用すれば、それぞれの機能の履歴を管理することが可能となる。
【特許文献１】特開２００３−１７９６７９号公報
【発明の開示】
【発明が解決しようとする課題】
【０００９】
従来の携帯端末では、上述したように、様々な種類のデータがそれぞれの機能毎に管理されている。特許文献１に開示された方法も、データの種類毎に管理メニューを操作する必要がある。そのためデータ整理などで大量のデータを削除したい場合、ユーザは、各機能の管理メニューを起動してデータを削除するという煩雑な作業を必要とする。その問題の具体例を説明する。
【００１０】
ここでは、ユーザが、図４の電子メール１、動画データ１および追加メロディ１を削除したい場合とする。背景技術で説明した手順で、電子メール１を初めに削除した後、携帯端末を操作して操作画面を＜メニュー＞画面まで戻す。次に、その画面で「ピクチャ」の項目を選択し、＜ピクチャ＞の画面で「動画」を選択すると、「動画データ１」と「動画データ２」を選択肢とする＜動画＞の画面が表示される。携帯端末を操作して「動画データ１」を削除する。その後、ユーザがダウンロードメロディの追加メロディ１を削除するには、操作画面を＜メニュー＞画面まで一旦戻し、動画データ１を削除したのと同様な操作を行う必要がある。上記３つのデータを削除するだけでも、操作画面が少なくとも１０回変わり、画面切り替えに伴う操作の回数も多くなる。
【００１１】
上記問題は、携帯端末の多機能化、開発規模の増大に伴い、各機能の開発作業の統合が困難になり、ユーザに利用しやすいインタフェースを提供できていないことに起因する。
【００１２】
本発明は上述したような従来の技術が有する問題点を解決するためになされたものであり、携帯端末内のデータを統合的に削除可能なデータ処理方法および携帯端末を提供することを目的とする。
【課題を解決するための手段】
【００１３】
上記目的を達成するための本発明のデータ処理方法は、アプリケーション機能の違いにより種類の異なる複数のデータが記憶部に格納された携帯端末のデータ処理方法であって、
前記複数のデータのデータ名を登録したリストを前記記憶部に格納し、
データ削除の指示が入力されると、前記リストに登録された前記データ名の一覧を出力部に表示させ、
前記一覧からデータ名が選択されると、選択されたデータ名で特定されるデータを前記記憶部から削除するものである。
【００１４】
本発明では、アプリケーション機能に対応して種類の異なる複数のデータについて個々のデータ名が記述された一覧が出力部に表示され、一覧から選択されたデータ名のデータが削除される。そのため、削除対象のデータが種類の異なる複数のデータであっても、それらのデータ名を選択することで、一括して複数種のデータを削除することが可能となる。
【発明の効果】
【００１５】
本発明によれば、複数種のアプリケーション機能に対応して種類の異なるデータを一括して消去することが可能であるため、データを削除するための管理メニューを機能毎に操作する必要がなく、ユーザの手間が軽減する。
【発明を実施するための最良の形態】
【００１６】
本発明の携帯端末は、アプリケーション機能の違いにより異なる種類の複数のデータついてデータ名をまとめた一覧を表示し、その一覧からデータ名が選択されると、選択されたデータ名に対応するデータを削除するものである。以下に、本発明の携帯端末の実施例を説明する。
【００１７】
本実施例の携帯端末の構成を説明する。なお、本実施例では、本発明に関連するデータ処理方法について詳しく説明し、電話機能、電子メール機能およびネットワーク接続機能等の通常の機能については従来と同様であるため、その詳細な説明を省略する。
【００１８】
図１は本実施例の携帯端末の一構成例を示すブロック図である。図２は本実施例の携帯端末の操作画面の例を示す図である。図２に示すように、アプリケーション機能毎に操作画面が階層化されている。
【００１９】
図１に示すように、本実施例の携帯端末は、ユーザが指示を入力するための複数のキーを含む入力部１と、各種データを記憶する記憶部２と、プログラム制御により動作する処理部３と、記憶部２に格納されたデータを表示するディスプレイ装置の出力部４とを有する。
【００２０】
記憶部２には、機能毎のデータグループ２２1〜２２nが格納される。ｎは分類されるデータの種類の数を示す、２以上の整数である。図２に示す例では、データが受信メールおよびダウンロードメロディ等の７種類に分類されている。メロディのデータについて、本実施例では、携帯端末出荷時に予め登録されたメロディである初期登録メロディと、ユーザによりネットワークを介して追加登録されたメロディであるダウンロードメロディの２種類の場合を示す。
【００２１】
データグループ２２1〜２２nのそれぞれは、図２に示す受信メール、動画、静止画、メロディ、スケジュール等のそれぞれの種類のデータに対応する。受信メールのデータをデータグループ２２1とすると、動画のデータはデータグループ２２4に相当し、静止画のデータはデータグループ２２5に相当する。また、データグループ２２1〜２２nのそれぞれは、データの数が複数の場合に限らず、単数であってもよい。
【００２２】
なお、図２に示していないが、データグループは上述の７種類に限らず、データの管理用情報（フォルダや制御ルールなどの情報）をまとめるためのデータグループがあってもよい。また、電話の着信履歴や発信履歴を登録するためのデータグループがあってもよい。
【００２３】
また、本実施例では、記憶部２に、データグループ２２1〜２２nのうちユーザの操作により削除可能なデータの情報を含む削除可能データリスト２１が格納される。削除可能データリスト２１には、ユーザにより削除可能なデータ毎に、データ名、データの種類、データグループへのリンク情報、および削除時に暗証番号の入力が必要であるか否かの情報を含むデータ関連情報が登録されている。ユーザにより新規データが記憶部２に登録される度に、処理部３がその新規データのデータ関連情報を削除可能データリスト２１に追加する。
【００２４】
図２の＜データ削除＞画面は、削除可能データリスト２１のデータのうち暗証番号の入力を必要としないデータ名の一覧表に相当する。暗証番号は予めユーザにより入力され、記憶部２に登録される。
【００２５】
図２の＜データ削除＞画面には、受信メール１から追加メロディ２までの、ユーザにより削除可能なデータのデータ名が表示されている。図２に示すデータグループ２２1〜２２nのうち、初期登録メロディはユーザにより削除不能なデータとしている。そのため、初期メロディ１と初期メロディ２は＜データ削除＞の画面に表示されていない。また、暗証番号の入力を必要とするデータとして、例えば、電話帳のデータが考えられる。
【００２６】
処理部３は、プログラムにしたがって所定の処理を実行するＣＰＵ（Central Processing Unit）（不図示）と、プログラムを格納するためのメモリ（不図示）とを有する。処理部３は、統合型削除メニュー手段３１と、削除処理振り分け手段３２と、データ管理手段３３1〜３３nとを備えている。ＣＰＵがプログラムを実行することで、各種手段が携帯端末内に仮想的に構成される。
【００２７】
統合型削除メニュー手段３１は、削除可能データリスト２１のデータ名を出力部４に表示させ、ユーザにより選択される削除対象のデータを特定する。図２に示す＜メニュー＞画面から「データ削除」の項目がユーザにより選択されると、統合型削除メニュー手段３１が起動し、暗証番号の入力を求める旨を出力部４に表示させる。なお、図２では、暗証番号の入力画面を示すことを省略している。
【００２８】
統合型削除メニュー手段３１は、ユーザにより番号が入力されると、入力された番号が登録された暗証番号と一致するか否かを調べ、これらの番号が一致していると、削除可能データリスト２１に含まれるデータ名を全て出力部４に表示させる。このとき表示される画面が図２の＜データ削除＞画面に相当する。
【００２９】
一方、暗証番号の入力要求をユーザに通知した後、何も番号が入力されないか、入力された番号が登録された暗証番号と一致していなければ、削除可能データリスト２１を参照し、削除可能データリスト２１に含まれるデータのうち暗証番号の入力を必要としないデータのデータ名を出力部４に表示させる。
【００３０】
その後、統合型削除メニュー手段３１は、ユーザによりデータ名が選択されると、選択されたデータ名とそのデータのリンク情報を含む削除対象データ情報を削除可能データリスト２１から読み出して削除処理振り分け手段３２に渡す。また、選択されたデータ名に対応するデータ関連情報を削除可能データリスト２１から削除し、更新後の削除可能データリスト２１を出力部４に表示させる。
【００３１】
削除処理振り分け手段３２は、削除対象データ情報を統合型削除メニュー手段３１より受け取ると、リンク情報からデータグループを特定し、特定したデータグループのデータ管理手段にデータ名を渡して削除処理を依頼する。
【００３２】
データ管理手段３３1〜３３nのそれぞれは、データグループ２２1〜２２nのそれぞれに含まれるデータの削除処理を行う管理手段である。各データ管理手段は、削除対象となるデータのデータ名を受け取ると、データ名で特定されるデータを記憶部２から削除する。
【００３３】
次に、本実施例の携帯端末の動作手順を詳細に説明する。図３は本実施例の携帯端末の動作手順を示すフローチャートである。
【００３４】
ユーザが入力部１を操作して＜メニュー＞画面から「データ削除」を選択すると、処理部３は統合型削除メニュー手段３１を起動する。そして、暗証番号の入力を要求する旨の表示を出力部４に表示させる（ステップ１０１）。
【００３５】
続いて、統合型削除メニュー手段３１は、番号が入力されたか否かを判定する（ステップ１０２）。番号が入力されていると、入力された番号が登録された暗証番号と一致するか否かを調べる（ステップ１０３）。これらの番号が一致していると、削除可能データリスト２１に含まれるデータ名を全て出力部４に表示させる（ステップ１０４）。
【００３６】
一方、ステップ１０２で番号が入力されていないか、番号が入力されていても、ステップ１０３で入力された番号が登録された暗証番号と一致していなければ、削除可能データリスト２１を参照し、削除可能データリスト２１に含まれるデータのうち暗証番号の入力を必要としないデータのデータ名を出力部４に表示させる（ステップ１０５）。
【００３７】
その後、ユーザが入力部１を操作して削除すべきデータのデータ名を選択する。その際、データ名が複数選択されてもよい。データ名が選択されると（ステップ１０６）、統合型削除メニュー手段３１は、削除可能データリスト２１を参照し、選択されたデータ名とそのデータのリンク情報を含む削除対象データ情報を削除処理振り分け手段３２に渡す。
【００３８】
削除処理振り分け手段３２は、削除対象データ情報を統合型削除メニュー手段３１より受け取ると、リンク情報からデータグループを特定し（ステップ１０７）、特定したデータグループのデータ管理手段３３k（ｋは１からｎのうちのいずれかの整数）を起動させ、データ管理手段３３kにデータ名を渡して削除処理を依頼する。
【００３９】
複数のデータが削除対象であり、データグループの種類が複数ある場合には、起動対象のデータ管理手段も複数になる。この場合、削除処理振り分け手段３２は、削除対象データのデータグループの種類に対応してデータ管理手段にデータ削除依頼を行うため、そのデータグループの種類の数だけデータ削除依頼を繰り返すこととなる。
【００４０】
データ管理手段３３kは、データ名と削除依頼の指示を受け取ると、データ名に対応するデータを記憶部２内のデータグループ２２kから削除する（ステップ１０８）。削除対象データの種類が複数ある場合、対応するデータ管理手段の全てにおいて削除処理が終了すると、削除処理振り分け手段３２の動作は終了する。統合型削除メニュー手段３１は、削除対象データのデータ関連情報を削除可能データリスト２１から削除し、更新後の削除可能データリスト２１を出力部４に表示させる（ステップ１０９）。その後、ステップ１０６に戻り、続けてユーザが削除対象のデータ名を選択すれば、ステップ１０７からステップ１０９の処理を行い、ユーザが他の操作を行えばデータ削除の動作を終了する。
【００４１】
本実施例のデータ処理方法では、削除対象のデータの種類がいくつあっても、暗証番号の入力画面を含めて操作画面の切り替え回数は２回しかない。操作画面の切り替え回数が従来よりも少ないため、その画面切り替えに伴う操作は従来よりも少なくなる。
【００４２】
上述したように、本実施例のデータ処理方法によれば、携帯端末内の複数種の機能に渡るデータを単一のインタフェースで削除可能となる。複数種の機能に渡ってデータを一括消去することが可能であるため、データを削除するための管理メニューを機能毎に操作する必要がなく、ユーザの手間が軽減する。
【００４３】
従来、管理メニューを起動した後でも、一般のユーザにとっては、削除可能なデータと携帯端末のメーカ側で予め用意した削除不能なデータとが見分けにくかった。本実施例では、ユーザが削除できないデータやメーカ側で予め登録したデータについて表示されるデータ名のリストから除外することにより、データを削除してよいか否かの判断の負荷をユーザ側に発生させない。
【００４４】
また、従来、データの種類によってはデータ削除時に個別に暗証番号の入力を要求する場合があり、ユーザは種類の異なるデータを削除しようとする度に暗証番号を入力する必要があった。本実施例では、ユーザは、複数種のデータを削除対象とするリストを表示させる前にだけ暗証番号の入力が求められるので、暗証番号を複数回入力する必要がなくなる。
【００４５】
上記リストを出力部４に表示する前に、暗証番号でユーザ本人であるか否かを確認することにより、重要なデータがユーザ以外の人に削除されることを防止できる。本実施例では、リスト表示前に暗証番号の入力を要求したが、統合型削除メニュー手段３１の起動時に、暗証番号の入力を要求するようにしてもよい。また、削除されても問題のないデータだけ表示させるように予め設定しておけば、暗証番号入力で管理する必要がない。
【００４６】
さらに、携帯端末の各機能を開発する側では、削除可能なデータのリストへの登録処理または抽出方法と、削除用のインタフェースを提供するだけでよく、機能別に独立した開発が行うことが可能となる。
【００４７】
なお、本実施例では、無線電話機能を備えた携帯電話機の場合で説明したが、電話機能を備えていない携帯端末であってもよい。携帯端末は、デスクトップ型やノート型のＰＣ（パーソナルコンピュータ）と異なりディスプレイの大きさが限られているためデータ削除の方法に制約があり、本実施例で説明したように、機能の種類毎にデータの削除を行わなければならない場合が多いからである。また、出力部４はプリンタ装置であってもよい。
【００４８】
また、本実施例では、データを新規に登録する際に削除可能データリスト２１にデータを追加するとしたが、＜データ削除＞メニュー画面の起動時に新規に登録されたデータからデータ関連情報を抽出して削除可能データリスト２１に追加してもよい。
【００４９】
また、削除可能データリスト２１から抽出される情報の出力部４への表示形式はリスト型またはツリー型のいずれのであってもよく、表示内容はデータ名に限らず、データの種類も表示するようにしてもよい。
【００５０】
さらに、＜データ削除＞画面でユーザが携帯端末を操作することで、選択されたデータ名のデータ内容を出力部４にプレビューさせてもよい。これは、処理部３が上述のリンク情報を用いてデータ名からデータを特定することで可能である。プレビューさせることで、ユーザはそのデータが必要であるか否かをもう一度確認することができる。
【図面の簡単な説明】
【００５１】
【図１】本実施例の携帯端末の一構成例を示すブロック図である。
【図２】本実施例の携帯端末の操作画面の表示例を示す図である。
【図３】本実施例の携帯端末の動作手順を示すフローチャートである。
【図４】従来の携帯端末の操作画面の表示例を示す図である。
【符号の説明】
【００５２】
２    記憶部
３    処理部
４    出力部
【図１】
2008109352.tif 000003
【図２】
2008109352.tif 000004
【図３】
2008109352.tif 000005
【図４】
2008109352.tif 000006